(57)【要約】【課題】二次元コードから取り込む情報をユーザが自分の都合に合わせて自由に作成できるようにする。【解決手段】登録部６１は、携帯電話機３がカレンダ２のある日付に対応する登録用コードｒｎを読み取ってアクセスしてくると、その携帯電話機３から送信されるその日付に対応する音声・動画・静止画などのコンテンツの登録を受け付ける。登録されたコンテンツはその日付と対応づけられてコンテンツＤＢ６２に記憶される。一方、再生部６３は、携帯電話機３がカレンダ２のある日付に対応する再生用コードｐｎを読み取ってアクセスしてくると、その日付に対応するコンテンツをコンテンツＤＢ６２から特定し、携帯電話機３にその日付に対応するコンテンツを再生したデータを送信する。【選択図】  図１
2006099286.tif 000002
【特許請求の範囲】
【請求項１】
年、月又は日に対応したコンテンツの登録を受け付ける登録部と、前記年、月又は日に対応して登録されたコンテンツを再生する再生部とを有するコンテンツ登録再生装置と、
前記登録部へのアクセス先を埋め込んだ登録用二次元コードを発行する登録用二次元コード発行部と、前記再生部へのアクセス先を埋め込んだ再生用二次元コードを発行する再生用二次元コード発行部と、前記年、月又は日に対応する登録用二次元コード及び再生用二次元コードを配置したカレンダをプリントするプリント部とを有するコンテンツ登録再生機能付きカレンダ作成装置と、
を備えるコンテンツ登録再生機能付きカレンダ提供システム。
【請求項２】
前記コンテンツは音声である請求項１に記載のコンテンツ登録再生機能付きカレンダ提供システム。
【請求項３】
年、月又は日に対応したコンテンツの登録を受け付ける登録部と、前記年、月又は日に対応して登録されたコンテンツを再生する再生部とを有するコンテンツ登録再生装置へのアクセス先を埋め込んだカレンダを作成するコンテンツ登録再生機能付きカレンダ作成装置であって、
前記登録部へのアクセス先を埋め込んだ登録用二次元コードを発行する登録用二次元コード発行部と、
前記再生部へのアクセス先を埋め込んだ再生用二次元コードを発行する再生用二次元コード発行部と、
年、月又は日に対応する登録用二次元コード及び再生用二次元コードを配置したカレンダをプリントするプリント部と、
を有するコンテンツ登録再生機能付きカレンダ作成装置。
【請求項４】
年、月又は日に対応したコンテンツの登録を受け付ける登録部と、前記年、月又は日に対応して登録されたコンテンツを再生する再生部とを有するコンテンツ登録再生装置へのアクセス先を埋め込んだカレンダを作成するコンテンツ登録再生機能付きカレンダ作成方法であって、
前記登録部へのアクセス先を埋め込んだ登録用二次元コードを発行する登録用二次元コード発行ステップと、
前記コンテンツ登録再生装置が有する再生ステップへのアクセス先を埋め込んだ再生用二次元コードを発行する再生用二次元コード発行ステップと、
年、月又は日に対応する登録用二次元コード及び再生用二次元コードを配置したカレンダをプリントするプリントステップと、
を含むコンテンツ登録再生機能付きカレンダ作成方法。
【発明の詳細な説明】
【技術分野】
【０００１】
本発明はコンテンツ登録再生機能付きカレンダ提供システムに係り、特にカレンダに対応したコンテンツの登録・再生が可能なシステムに関する。
【背景技術】
【０００２】
従来、各種の印刷媒体に印刷された二次元コードデータから所望の音声情報を得させる技術が開発されている。例えば特許文献１の二次元コード化装置は、入力された情報を分割し、分割して得られる情報それぞれを二次元コード化して出力を行ない、複数の二次元コードが得られる。これらの複数の二次元コードを二次元コード再生装置に読ませることにより、復元された情報が得られる。例えば、携帯電話を二次元コード再生装置とし、情報として、待ち受け画面の画像情報や、着信音などの音声情報、あるいは、携帯電話で動作するプログラムとすることにより、携帯電話に情報を容易に取り込むことができる。また、順次発行される刊行物に、二次元コードを掲載することにより、刊行物の売上を伸ばすことが可能となる。
【特許文献１】特開２００４−２０６４４７号公報
【発明の開示】
【発明が解決しようとする課題】
【０００３】
ところが、特許文献１の技術では、ユーザの意思や都合とは無関係な音声内容を埋め込んだ二次元コードを一方的に刊行物などに掲載してユーザに提供するだけであり、ユーザが自分の都合に合わせて取り込む情報を自由に変更することはできない。また、取り込まれる情報は固定されているから、一度二次元コードから情報を取得するとその二次元コードは無用の長物となる。本発明はこのような問題点に鑑みてなされたもので、二次元コードから取り込む情報をユーザが自分の都合に合わせて自由に作成できるようにすることを目的とする。
【課題を解決するための手段】
【０００４】
上述の課題を解決するため、本願発明に係るコンテンツ登録再生機能付きカレンダ提供システムは、年、月又は日に対応したコンテンツの登録を受け付ける登録部と、年、月又は日に対応して登録されたコンテンツを再生する再生部とを有するコンテンツ登録再生装置と、登録部へのアクセス先を埋め込んだ登録用二次元コードを発行する登録用二次元コード発行部と、再生部へのアクセス先を埋め込んだ再生用二次元コードを発行する再生用二次元コード発行部と、年、月又は日に対応する登録用二次元コード及び再生用二次元コードを配置したカレンダをプリントするプリント部とを有するコンテンツ登録再生機能付きカレンダ作成装置と、を備える。
【０００５】
カレンダの提供を受けたユーザは、年、月又は日に対応する登録用二次元コードによって登録部にアクセスし、所望のコンテンツ（音声、動画、静止画など）を所望の年月日に対応させて自由に登録することができる。そして、音声を登録したユーザ又はその他のユーザは、年、月又は日に対応する再生用二次元コードによって再生部にアクセスし、年、月又は日に対応して登録されたコンテンツの再生を受けることができる。例えば、コンテンツが音声の場合、対応する日付の予定を表す音声メモとして利用できる。
【０００６】
本願発明に係るコンテンツ登録再生機能付きカレンダ作成装置は、年、月又は日に対応したコンテンツの登録を受け付ける登録部と、年、月又は日に対応して登録されたコンテンツを再生する再生部とを有するコンテンツ登録再生装置へのアクセス先を埋め込んだカレンダを作成するコンテンツ登録再生機能付きカレンダ作成装置であって、登録部へのアクセス先を埋め込んだ登録用二次元コードを発行する登録用二次元コード発行部と、再生部へのアクセス先を埋め込んだ再生用二次元コードを発行する再生用二次元コード発行部と、年、月又は日に対応する登録用二次元コード及び再生用二次元コードを配置したカレンダをプリントするプリント部と、を有する。
【０００７】
このコンテンツ登録再生機能付きカレンダ作成装置は、上述のコンテンツ登録再生機能付きカレンダを作成する。
【０００８】
本願発明に係るコンテンツ登録再生機能付きカレンダ作成方法は、年、月又は日に対応したコンテンツの登録を受け付ける登録部と、年、月又は日に対応して登録されたコンテンツを再生する再生部とを有するコンテンツ登録再生装置へのアクセス先を埋め込んだカレンダを作成するコンテンツ登録再生機能付きカレンダ作成方法であって、登録部へのアクセス先を埋め込んだ登録用二次元コードを発行する登録用二次元コード発行ステップと、コンテンツ登録再生装置が有する再生ステップへのアクセス先を埋め込んだ再生用二次元コードを発行する再生用二次元コード発行ステップと、年、月又は日に対応する登録用二次元コード及び再生用二次元コードを配置したカレンダをプリントするプリントステップと、を含む。
【発明の効果】
【０００９】
カレンダの提供を受けたユーザは、年、月又は日に対応する登録用二次元コードによって登録部にアクセスし、所望のコンテンツ（音声、動画、静止画など）を所望の年月日に対応させて自由に登録することができる。そして、音声を登録したユーザ又はその他のユーザは、年、月又は日に対応する再生用二次元コードによって再生部にアクセスし、年、月又は日に対応して登録されたコンテンツの再生を受けることができる。
【発明を実施するための最良の形態】
【００１０】
以下、添付した図面を参照し本発明の好ましい実施の形態を説明する。
【００１１】
［概略構成］
図１は、本発明の好ましい実施形態に係るコンテンツ登録再生機能付きカレンダ提供システムの概略機能構成図である。このシステムはカレンダ作成装置１とコンテンツ登録再生装置６とを備えている。コンテンツ登録再生装置６は、インターネットなどのネットワーク５及び移動体電話通信網の基地局４を介して携帯電話機３と接続されている。携帯電話機３は、カレンダ２にプリントされた登録用二次元コードや再生用二次元コードをコードリーダ３ａで読みとることでコンテンツ登録再生装置６にアクセスすることができる。カレンダ２はカレンダ作成装置１によって作成され、出来上がったカレンダ２はユーザに有償・無償で提供される。
【００１２】
図２はカレンダ作成装置１の概略機能構成図である。カレンダ作成装置１は、ポインティングデバイスなどで構成された操作部１０、コード発行部１１、テンプレート記憶部１２、合成部１３、プリンタ１４を備えている。テンプレート記憶部１２は、所定の年、所定の言語のカレンダの印刷用テンプレート画像を記憶している。コード発行部１１の登録用コード発行部１１ａは、コンテンツ登録再生装置６の登録部６１にアクセスするための情報が埋め込まれた二次元コードである登録用コードを発行する。また、コード発行部１１の再生用コード発行部１１ｂは、コンテンツ登録再生装置６の再生部６３にアクセスするための情報が埋め込まれた二次元コードである再生用コードを発行する。登録用コード及び再生用コードは、年、月又は日（曜日を含む）に対応して一対で発行される。合成部１３は、年、月又は日（曜日を含む）に対応して発行された一対の登録用コード及び再生用コードを、カレンダの印刷用テンプレート画像の対応する年、月又は日に対応して配置して合成する。プリンタ１４は、合成した画像をＴＡペーパーなどの印刷媒体にプリントすることでカレンダ２を作成する。
【００１３】
図３はカレンダ２の外観を例示している。この図では、カレンダ２の一部をなす２００４年１０月のカレンダページが一例として示されている。ここでは、所定の年の日付中、日曜日の日付配置欄Ｄｎ（ｎ＝３，１０，１７，２４，３１）に、それぞれ各日に対応する一対の登録用コードｒｎ及び再生用コードｐｎが配置されてプリントされている。この図では日曜日の日付配置欄にだけ一対の登録用コードｒｎ及び再生用コードｐｎがプリントされているが、操作部１０から指定された任意の日付に一対の登録用コードｒｎ及び再生用コードｐｎをプリントするようにしてもよい。コスト上の制約がなければ、全ての日付に対応した一対の登録用コードｒｎ及び再生用コードｐｎをプリントしてもよい。
【００１４】
再び図１を参照すると、コンテンツ登録再生装置６は、登録部６１と、コンテンツＤＢ６２と、再生部６３とを備えている。登録部６１は、携帯電話機３がある日付に対応する登録用コードｒｎを読み取ってアクセスしてくると、その携帯電話機３から送信されるその日付に対応する音声・動画・静止画などのコンテンツの登録を受け付ける。登録されたコンテンツはその日付と対応づけられてコンテンツＤＢ６２に記憶される。図４は日付と登録されたコンテンツとが対応づけられてコンテンツＤＢ６２に記憶された状態を概念的に示している。一方、再生部６３は、携帯電話機３がある日付に対応する再生用コードｐｎを読み取ってアクセスしてくると、その携帯電話機３にその日付に対応するコンテンツを再生したデータを送信する。例えば、コンテンツが音声の場合は、再生した電話音声を移動体通信網を介して送信する。再生部６３は、コンテンツを再生したデータそのものを送信するのでなく、コンテンツを携帯電話機３で再生可能な形式（例えば携帯電話機で実行すると動画・静止画・音声が再生されるアプリケーション）に変換して携帯電話機３に送信してもよい。なお、コンテンツが音声の場合、登録再生装置６は、公知のＣＴＩ（Computer Telephony Integration）サーバで構成できる。
【００１５】
［処理の流れ］
以下、携帯電話機３とコンテンツ登録再生装置６の間で実行される処理の流れを説明する。まず、図５のフローチャートに基づき、コンテンツ再生処理の流れを説明する。
【００１６】
携帯電話機３がカレンダ２にプリントされたある日付に対応する登録用コードｒｎをコードリーダ３ａによって読み取ることで（Ｓ１）、登録部６１にアクセスする（Ｓ２）。携帯電話機３は、登録部６１に所望のコンテンツを送信する。例えば、コンテンツが音声の場合は、移動体通信網を介して送信した電話音声をコンテンツとする。あるいは、コンテンツがテキストである場合は、テキストデータを送信する。あるいは、コンテンツが静止画・動画である場合は、静止画・動画ファイルを送信する。携帯電話機３は、コンテンツの送信と合わせて、読み取った登録用コードｒｎに対応する年月日を一意的に示す情報（以下年月日ＩＤという）を登録部６１に通知する。携帯電話機３は、ユーザＩＤなどの情報も通知してもよい。登録部６１は、携帯電話機３の通知した年月日ＩＤと受信したコンテンツとを対応づけてコンテンツＤＢ６２に記憶する（Ｓ３）。
【００１７】
以上の処理により、カレンダ２の提供を受けたユーザが所望のコンテンツを所望の年月日に対応させて自由に登録することができる。一旦登録したコンテンツは上記の処理をやり直すことで何度でも変更できるようにしてもよいし、変更の回数を制限してもよい。また、登録するコンテンツは何でもよく、例えば、２００４年１０月３日に野球の試合があるといった内容を音声メモとして登録してもよい。あるいは、２００４年１０月１０日に友人の結婚式がある場合、祝辞の音声やテキストを登録してもよい。
【００１８】
次に、図６のフローチャートに基づき、コンテンツ再生処理の流れを説明する。
【００１９】
携帯電話機３がカレンダ２にプリントされたある日付に対応する再生用コードｐｎをコードリーダ３ａによって読み取り（Ｓ１１）、再生部６３にアクセスする（Ｓ１２）。この際、携帯電話機３は、読み取った再生用コードｐｎに対応する年月日を一意的に示す年月日ＩＤを再生部６３に通知する。携帯電話機３は、ユーザＩＤなどの情報も通知してもよい。
【００２０】
再生部６３は、アクセスしてきた携帯電話機３の通知した年月日ＩＤに対応するコンテンツをコンテンツＤＢ６２から特定する（Ｓ１３）。そして、再生部６３は、特定したコンテンツを再生して携帯電話機３に送信し、携帯電話機３は再生されたコンテンツを受信する（Ｓ１５）。例えば、コンテンツが音声ファイルとしてコンテンツＤＢ６２に記憶されている場合、再生部６３は、音声ファイルから音声を再生し、通話音声として携帯電話機３に送信する。コンテンツが動画や静止画の場合、再生部６３は、携帯電話機３で実行可能な動画ファイル・静止画ファイルを携帯電話機３に送信してもよい。
【００２１】
以上の処理により、カレンダ２の提供を受けたユーザは年月日と対応づけて登録されたコンテンツの再生をいつでも受けることができる。コンテンツの再生を受ける者は音声を登録した本人であってもよいし、他の者であってもよい。例えば、上述の音声メモでは音声を登録した本人が聞くことでその日の予定を確認できる。また、上述のように結婚式の祝辞の音声やテキストを登録した場合は、音声やテキストを登録した者が友人にカレンダ２を与えることで、その友人の保有する携帯電話機３から登録した祝辞を聞かせ又は見せることができる。
【図面の簡単な説明】
【００２２】
【図１】コンテンツ登録再生機能付きカレンダ提供システムの概略機能構成図
【図２】カレンダ作成装置の概略機能構成図
【図３】カレンダの外観を例示した図
【図４】コンテンツＤＢに記憶された情報の概念説明図
【図５】コンテンツ登録処理の流れを示すフローチャート
【図６】コンテンツ再生処理の流れを示すフローチャート
【符号の説明】
【００２３】
１：カレンダ作成装置、２：カレンダ、３：携帯電話機、６：コンテンツ登録再生装置
【図１】
2006099286.tif 000003
【図２】
2006099286.tif 000004
【図３】
2006099286.tif 000005
【図４】
2006099286.tif 000006
【図５】
2006099286.tif 000007
【図６】
2006099286.tif 000008